(57)【特許請求の範囲】
【請求項１】
上部から吸引して下部から吹き出す空気清浄装置と、該空気清浄装置の吹き出し側に配置される分煙用パーティションとを具備し、前記分煙用パーティションは前記空気清浄装置からの吹き出し流を受ける縦パネル部と、該縦パネル部の上部に設けられて前記吹き出し流の受け側である内面側に湾曲し且つ先端が水平より下方を向いているフラップ部とを具備し、且つ前記フラップ部の内面には、前記縦パネル部側から先端側に亘って突出するフラップリブが幅方向に亘って複数設けられていると共に、前記フラップリブの少なくとも幅方向外側の両側に設けられたものが前記縦パネル部側から先端側に向かっての空気の流れを規制して前記空気清浄装置に向かって流れるように作用するよう幅方向内側に傾斜して中央に向かっており、前記空気清浄装置からの吹き出し流が前記縦パネル部に沿って上方に流れると共に前記フラップ部で折り返されて前記空気清浄装置に吸引される循環流を形成することを特徴とする空気清浄システム。
【請求項２】
請求項１において、前記縦パネル部の内側には、上下方向に亘って突出する縦リブが幅方向に亘って複数設けられていると共に、少なくとも幅方向中央部に設けられた前記縦リブは上方に向かって当該縦リブ間の間隔が広がるように傾斜して設けられており、下方から上方に向かって流れる空気の流速の幅方向の分布が上方ほど均一化されることを特徴とする空気清浄システム。
【請求項３】
請求項１又は２において、前記縦パネル部の幅方向両側には、内面側に屈曲して幅方向外側への空気の流れを規制する屈曲部が設けられていることを特徴とする空気清浄システム。
【請求項４】
請求項１〜３の何れかにおいて、前記縦パネル部が、内面が凹部となるように屈曲もしくは湾曲していることを特徴とする空気清浄システム。
【請求項５】
請求項１〜４の何れかにおいて、前記縦パネル部が、前記空気清浄装置を挟んで相対向して又は三方に設けられることを特徴とする空気清浄システム。
【請求項６】
請求項５において、前記空気清浄装置を挟んで相対向する前記縦パネル部の中央部には、前記空気清浄装置の上方に前記縦パネルに相対向して設けられて空気を遮断する仕切パネルを具備し、当該仕切パネルの両側に前記循環流が形成されることを特徴とする空気清浄システム。
【請求項７】
請求項６において、前記仕切パネルの表面は、幅方向に亘って湾曲して中央部が凹部となっていることを特徴とする空気清浄システム。
【請求項８】
請求項６又は７において、前記仕切パネルの上部には、当該仕切パネルに当たった空気が上方へ流れるのを規制する天パネルを具備することを特徴とする空気清浄システム。
【発明の詳細な説明】
【０００１】
【発明の属する技術分野】
本発明は、空気清浄装置の性能を最大限に活用するための空気清浄システムに関する。
【０００２】
【従来の技術】
近年、空気中の各種粉塵や煙草の煙を除去するために、各種空気清浄装置が提案されている。
【０００３】
そのうちの一つとして、喫煙コーナーなどを仕切るためのつい立てとして、つい立ての中に送風機を内蔵したエアーカーテン付つい立てが提案されている（実開平１−１１４８７４号）。また、このようなエアーカーテン付つい立てによると、送風機からのエアーカーテンにより空間を仕切るものであるが、空間内に発生する煙草の煙がエアーカーテンに混入されて拡散されてしまうという問題を解消するものとして、つい立ての中に空気清浄機及び排風機を組み込んだ空気清浄機付つい立てが提案されている（特開平６−５４７４５号）。
【０００４】
【発明が解決しようとする課題】
このようなつい立ては、つい立ての中に送風機や空気清浄機が組み込まれているので、非常に高価であるという問題がある。また、同様につい立ての中に様々な部品などが組み込まれているため、重量も重く、設置の手間もかかるうえ、一旦設置した後はレイアウト変更などの移動も困難であるという問題もある。更に、各つい立て内に一つ以上の送風機が組み込まれる関係上、省エネの観点からはあまり好ましいものとは言えなかった。
【０００５】
本発明は、このような事情に鑑み、低コストで空気清浄装置の分煙効果を高めることができる空気清浄システムを提供することを課題とする。
【０００６】
【課題を解決するための手段】
発明者らは、鋭意検討の結果、近年知られている空気中の各種粉塵や煙草の煙を除去するために、送風機と空気清浄装置とを内蔵した箱状の本体上面に、平板状の天板を載置した形態であって、この天板の中央部に開口した吸込口から粉塵を含んだ空気やたばこ煙を吸引し、本体側面下方や本体底面から浄化された空気を排出する、移動可能なカウンターやテーブル、即ち、分煙カウンター、分煙テーブル（分煙カウンターや分煙テーブルを総称してテーブル型空気清浄装置という。）等を活用する事で以上のような問題を解決することができないかと塾考した結果、本発明に至った。
【０００７】
前記課題を解決する本発明の第１の態様は、上部から吸引して下部から吹き出す空気清浄装置と、該空気清浄装置の吹き出し側に配置される分煙用パーティションとを具備し、前記分煙用パーティションは前記空気清浄装置からの吹き出し流を受ける縦パネル部と、該縦パネル部の上部に設けられて前記吹き出し流の受け側である内面側に湾曲し且つ先端が水平より下方を向いているフラップ部とを具備し、且つ前記フラップ部の内面には、前記縦パネル部側から先端側に亘って突出するフラップリブが幅方向に亘って複数設けられていると共に、前記フラップリブの少なくとも幅方向外側の両側に設けられたものが前記縦パネル部側から先端側に向かっての空気の流れを規制して前記空気清浄装置に向かって流れるように作用するよう幅方向内側に傾斜して中央に向かっており、前記空気清浄装置からの吹き出し流が前記縦パネル部に沿って上方に流れると共に前記フラップ部で折り返されて前記空気清浄装置に吸引される循環流を形成することを特徴とする空気清浄システムにある。
【０００８】
かかる第１の態様では、空気清浄装置からの吹き出し流は縦パネル部に当たって上昇し、フラップ部で折り返されて空気清浄装置の吸い込み流となり、外部への拡散が防止される。このとき、フラップ部により形成される折り返し流の流れの方向がフラップリブにより調整され、幅方向両側のフラップで形成される折り返し流は内側方向に向いて流れ、空気清浄装置に向かって流れるようになる。
【０００９】
本発明の第２の態様は、第１の態様において、前記縦パネル部の内側には、上下方向に亘って突出する縦リブが幅方向に亘って複数設けられていると共に、少なくとも幅方向中央部に設けられた前記縦リブは上方に向かって当該縦リブ間の間隔が広がるように傾斜して設けられており、下方から上方に向かって流れる空気の流速の幅方向の分布が上方ほど均一化されることを特徴とする空気清浄システムにある。
【００１０】
かかる本発明の第２の態様では、吹き出し流が縦パネル部に当たって上昇する際に、流れが縦リブにより規制され、幅方向への拡散が防止される。また、吹き出し流が縦パネル部に当たって上昇する際に、流れが縦リブにより規制されるが、幅方向中央部では縦リブ間隔の広がりによって幅方向への所定の割合で拡散され、風速が低減され、下方から上方に向かって流れる空気の流速の幅方向の分布が上方ほど均一化される。
【００１１】
本発明の第３の態様は、第１又は２の態様において、前記縦パネル部の幅方向両側には、内面側に屈曲して幅方向外側への空気の流れを規制する屈曲部が設けられていることを特徴とする空気清浄システムにある。
【００１２】
かかる第３の態様では、吹き出し流が縦パネル部に当たって上昇する際に、屈曲部により幅方向外側への拡散が防止される。
【００１３】
本発明の第４の態様は、第１〜３の何れかの態様において、前記縦パネル部が、内面が凹部となるように屈曲もしくは湾曲していることを特徴とする空気清浄システムにある。
【００１４】
かかる第４の態様では、縦パネル部で上昇してフラップ部で折り返される流れが幅方向中央方向に向かって流れる。
【００１５】
本発明の第５の態様は、第１〜４の何れかの態様において、前記縦パネル部が、前記空気清浄装置を挟んで相対向して又は三方に設けられることを特徴とする空気清浄システムにある。
【００１６】
かかる第５の態様では、空気清浄装置の吹き出し流に対向する方向に縦パネルを設け、空気の外部への拡散を防止することができる。
【００１７】
本発明の第６の態様は、第５の態様において、前記空気清浄装置を挟んで相対向する前記縦パネル部の中央部には、前記空気清浄装置の上方に前記縦パネルに相対向して設けられて空気を遮断する仕切パネルを具備し、当該仕切パネルの両側に前記循環流が形成されることを特徴とする空気清浄システムにある。
【００１８】
かかる第６の態様では、縦パネル部で上昇してフラップ部で折り返される流れが仕切パネルに当たり、干渉しあうことがない。
【００１９】
本発明の第７の態様は、第６の態様において、前記仕切パネルの表面は、幅方向に亘って湾曲して中央部が凹部となっていることを特徴とする空気清浄システムにある。
【００２０】
かかる第７の態様では、縦パネル部で上昇してフラップ部で折り返される流れが仕切パネルに当たった流れが幅方向中央に集まり、空気清浄装置に吸い込まれ易くなる。
【００２１】
本発明の第８の態様は、第６又は７の態様において、前記仕切パネルの上部には、当該仕切パネルに当たった空気が上方へ流れるのを規制する天パネルを具備することを特徴とする空気清浄システムにある。
【００２２】
かかる第８の態様では、縦パネル部で上昇してフラップ部で折り返される流れが仕切パネルに当たった流れが上方へ拡散するのが、天パネルにより防止される。
【００２３】
【発明の実施の形態】
以下に、本発明を実施形態に基づいて詳細に説明する。
【００２４】
（参考例１）
図１には、参考例１に係る分煙用パーティションの斜視図を示す。図１に示すように、分煙用パーティション１０は、縦パネル部２０と、縦パネル部２０の上部に連続的に設けられたフラップ部３０とを具備する。縦パネル部２０は、図示しない空気清浄装置の吹き出し側に相対向して配置される平板部２１とその幅方向両側で略直角に屈曲した屈曲部２２とからなる。一方、フラップ部３０は、平板部２１及び屈曲部２２の上部に配置されて、その上方に連続して設けられており、平板部２１及び屈曲部２２に連続する基端部３１と、内側に湾曲する湾曲部３２と、水平より下方に向かって延びる先端部３３とを具備する。
【００２５】
縦パネル部２０及びフラップ部３０を構成する材料は特に限定されず、金属、プラスチックなど、容易に加工できるものであればよい。なお、平板部２１及び屈曲部２２の外面側には、パネル本体となる補強板２３が設けられているが、この材質は、安定して載置するためのものであれば特に限定されず、例えば、金属、樹脂、木材、または複合材料などを用いることができる。
【００２６】
ここで、縦パネル部２０とフラップ部３０とは、上述したように、一体的に形成されている必要はなく、図２に示すように、別体で形成されていてもよい。すなわち、図２に示すように、縦パネル部２０Ａの平板部２１Ａ及び屈曲部２２Ａの上にフラップ部３０Ａを組み付けた分煙用パーティション１０Ａであってもよい。この際、縦パネル２０Ａは事務所などを間仕切りするときによく用いられる、表面にクロス貼りを施したパーティションであってもよい。
【００２７】
このような分煙用パーティション１０又は１０Ａは、空気清浄装置の吹き出し口に相対向して配置して使用される。
【００２８】
（参考例２）
図３及び図４には、分煙用パーティション１０を用いた空気清浄システムの一例を示し、図３は斜視図、図４は、そのＡ−Ａ断面図である。
【００２９】
図３及び図４に示すように、本実施形態の空気清浄システムは、空気清浄装置５０の両側に分煙用パーティション１０を配置したものである。
【００３０】
ここで、空気清浄装置５０は、図５に示すように、平均的なテーブル型の空気清浄装置であり、天板５１と、テーブル本体５２とを具備し、天板５１には、長方形の貫通孔である吸い込み口５３が設けられており、テーブル本体５２の下部の長辺側両側には、吹き出し口５４が両側に向かって開口している。すなわち、空気清浄装置５０は、上部から吸って下部から吹き出す形式であれば、構造は特に限定されず、例えば、テーブル本体５２内には、捕集部５５及びファン５６が配置されている。
【００３１】
ここで、捕集部５５は、図中上面側の吸引開口５５ａから吸い込んだ空気中のたばこ煙や塵埃等の粒子を静電気的に、若しくは濾過により、又はその両方の作用で捕集し、清浄化した空気を図中下面側の吹出開口５５ｂから吹き出すものであれば何れの方式でもよいが、本実施形態では、静電式集塵方式の荷電捕集部を用いている。すなわち、捕集部５５は、本実施形態では、例えば、吸込開口５５ａの内方に、順次、プレフィルタ、荷電部であるアナオナイザ、及び捕集部であるコレクタが内蔵されている。従って、吸込開口５５ａから含塵空気等を送り込むと、塵埃が除去された清浄空気が反対側の吹出開口５５ｂから吐出されるようになっている。また、アイオナイザ及びコレクタは、放電電極部材、対向電極部材、非捕集電極部材及び捕集電極部材の組み合わせにより形成し、対向電極部材及び捕集電極部材は体積固有抵抗値が１０7Ωｃｍ以下の導電性樹脂材料で形成し、非捕集電極部材は体積固有抵抗値が１０10〜１０13Ωｃｍの半導電性樹脂材料で形成するのが好ましい。この場合、アイオナイザは、放電電極部材と対向電極部材との組み合わせにより構成され、コレクタは、捕集電極部材と非捕集電極部材との組み合わせにより構成される。このように構成したアイオナイザ及びコレクタでは、アイオナイザにより荷電された粒子の中に導電性粉塵が混在していても、非捕集電極部材の電荷の移動が半導電性樹脂材料の抵抗で制限されるため、捕集部の非捕集電極部材と捕集電極部材との間でのスパーク発生が防止できる。
【００３２】
また、捕集部５５の下方側（吹出開口５５ｂ側）のファン５６は、空気を吸い込み口５３から吸い込んで、吹き出し口５４から吹き出す能力があれば特に限定されず、例えば、図示のようなシロッコファンが使用できる。
【００３３】
このような空気清浄装置５０の長辺側両側面方向（吹き出し口５４の開口方向）に分煙用パーティション１０が配置されており、分煙用パーティション１０と空気清浄装置５０の吹き出し口５４とは相対向している。なお、空気清浄装置１０には、長辺側両側面以外にも吹き出し口がある場合には、塞いで用いるのが好ましい。
【００３４】
このような空気清浄システムでは、空気清浄装置５０の長辺側両側面方向（吹き出し口５４の開口方向）吹き出し流６１は、縦パネル部２０の下部に当たって上昇流６２となり、さらに、フラップ部３０の内面に沿って流れて手前側下向きに折り返された折り返し流６３となり、吸い込み流６４となって空気清浄装置５０に戻る。すなわち、空気清浄装置５０の吹き出し口５４から吸い込み口５３に戻る循環流が形成され、分煙用パーティション１０で囲まれた雰囲気の空気が外部へ漏れにくくなり、空気清浄装置５０による清浄効率を著しく向上することができる。
【００３５】
ここで、フラップ部３０により形成される折り返し流６３の流れの方向は、フラップ部３０の先端部３３の向かう方向によって概略決定される。すなわち、フラップ部３０の先端部３３は、水平より下向きであればよいが、空気清浄装置５０に向かう折り返し流６３を形成する必要がある。従って、一般的には、先端部３３と水平とのなす角度が２０〜１５０度程度とするのが好ましい。
【００３６】
また、フラップ部３０の湾曲部３２は、良好な折り返し流６３を形成するために、ある程度緩やかな湾曲で形成されているのが好ましい。すなわち、湾曲部３２の曲率半径が小さすぎて鋭角になりすぎると、吹きだまりが形成されて良好な折り返し流６３が形成されない。
【００３７】
何れにしても、フラップ部３０は、折り返し流６３が喫煙者７１の発煙ポイント７２より若干高い位置に向かうように形成される構造とするのがよい。
【００３８】
なお、このような条件を満足すれば、フラップ部３０の形状は特に限定されず、例えば、図６に示すように、先端部３３Ｂまで全体的に湾曲したフラップ部３０Ｂを有する分煙用パーティション１０Ｂとしてもよい。
【００３９】
（参考例３）
図７には、参考例３に係る分煙用パーティション１０Ｃの部分断面斜視図を示す。図７に示すように、この分煙用パーティション１０Ｃは、縦パネル部２０Ｃの内面に縦リブ２５を有し、フラップ部３０Ｃの内側にもフラップリブ３５を有する。本実施形態では、縦リブ２５及びフラップリブ３５は、連続して設けられているが、それぞれ異なる間隔で別途設けられてもよい。また、フラップリブ３５のみを有するようにしてもよく、逆に、縦リブ２５のみを有してもよい。
【００４０】
このような縦リブ２５及びフラップリブ３５は、幅方向に亘って所定の間隔で設けられるのが好ましい。また、本実施形態では、縦パネル部２０Ｃに屈曲部２２Ｃが設けられているので、幅方向の最も両側端部寄りの縦リブ２５及びフラップリブ３５が幅方向外側への空気の流れを規制する作用は小さいが、屈曲部２２Ｃが設けられない場合には、少なくとも幅方向の最も両側寄りのみに縦リブ２５及びフラップリブ３５を設けてもよい。
【００４１】
（実施形態１）
参考例３の分煙用パーティション１０Ｃを用いた空気清浄システムの一例を示す。
【００４２】
図８〜図１０には、分煙用パーティション１０Ｃを用いた空気清浄システムの一例を示し、図８は部分断面斜視図、図９及び図１０は、図８を図４と同様の位置で断面にした図である。
【００４３】
図８〜図１０に示すように、本実施形態の空気清浄システムは、空気清浄装置５０の両側に分煙用パーティション１０Ｃを配置したものであり、空気清浄装置５０は、参考例２と同様なものである。
【００４４】
このような空気清浄システムの作用効果は基本的には参考例２と同様であり、重複する説明は省略する。
【００４５】
但し、分煙用パーティション１０Ｃが縦リブ２５及びフラップリブ３５を有しているので、以下のような作用効果を有する。
【００４６】
縦リブ２５は、吹き出し流６１が縦パネル部２０Ｃに当たって形成された上昇流６２が、幅方向へ両側に拡散しないで上方へ流れるように作用する。なお、縦リブ２５は、下から上に亘って縦リブ間隔を変化させことにより、風速を調整し、縦パネル２０Ｃ上方での幅方向に亘った風速の分布の均一化を図ることができる。さらに、縦リブ２５の全体を傾斜させたり、湾曲させるなどして下方から上方への流路を長くすることにより、風速を低下させることもできる。
【００４７】
また、フラップリブ３５は、縦リブ２５と同様に幅方向への拡散を防止すると共に、折り返し流６３の流れ出し方向を規制するように働く。すなわち、フラップ部３０Ｃのから流れ出した折り返し流６３が幅方向に拡散しないように作用する。従って、折り返し流６３の全てが吸い込み流６４となって空気清浄装置５０の吸い込み口５３から吸い込まれるように、幅方向外側寄りのフラップリブ３５を内側に傾斜して設けるのが好ましい。これにより、フラップ部３０Ｃの幅方向両端部で折り返された折り返し流６３が中央に向かって流れ、空気清浄装置５０の吸い込み口５３からさらに吸い込まれ易くなる。
【００４８】
なお、図８中の矢印８０、８０Ａは、空気清浄装置５０の両側に分煙用パーティション１０Ｃを配置した空気清浄システムが設置された空間（例：事務所など）の空調装置により発生する気流の流れを示すものである。図のように本発明の空気清浄システムは分煙用パーティションを用いているので、気流の流れは矢印８０Ａのように分煙パーティションを迂回するように流れる。これにより折り返し流６３や吸い込み流６４が気流の流れに乱されにくい効果も併せ持つことが出来る。
【００４９】
（参考例４）
図１１及び図１２には、フラップリブのみを有する分煙用パーティション及びそれを用いた空気清浄システムを示す。
【００５０】
図１１に示すように、分煙用パーティション１０Ｄは、縦リブを有さない縦パネル部２０Ｄと、フラップリブ３５を具備するフラップ部３０Ｄとからなる。
【００５１】
このような分煙用パーティション１０Ｄを用いた空気清浄システムでは、図１２に示すように、実施形態１の空気清浄システムと同様に折り返し流６３の流れ出し方向を規制することができ、折り返し流６３の全てが吸い込み流６４となって空気清浄装置５０の吸い込み口５３から吸い込まれるようになる。また、幅方向外側のフラップリブ３５を内側に傾斜して設けると、フラップ部３０Ｄの幅方向両端部で折り返された折り返し流６３が中央に向かって流れ、空気清浄装置５０の吸い込み口５３からさらに吸い込まれ易くなる。
【００５２】
（実施形態２）
図１３には、実施形態２に係る空気清浄システムの斜視図を示す。図１３に示すように、この空気清浄システムは、リブ間隔を変更した縦リブ２５Ａを有する縦パネル部２０Ｅを有する分煙用パーティション１０Ｅを用いたものである。なお、フラップリブ３５は、上述した実施形態及び参考例と同様である。
【００５３】
本実施形態の分煙用パネル１０Ｅでは、下から上に亘って縦リブ間隔を変化させた、すなわち、幅方向中央部では、縦リブ間隔が上方へ行くほど広がり、幅方向端部では、上方ほど狭くなるように縦リブ２５Ａを設けている。これにより、縦パネル部２０Ｅの下部から上部にかけて、幅方向中央部の風速が低下し、幅方向端部の風速が若干上昇するように調整され、上部での幅方向に亘った風速の分布が均一化される。なお、縦リブの間隔は、上述の図に限定されるものではなく、幅方向中央部の縦リブ基点から放射状になるように幅方向端部の縦リブを配置してもよく、また、幅方向端部の縦リブの傾斜角を幅方向中央部の傾斜角と平行にするなど、風速の均一化を達成するのであれば、その形態を問わないことは無論である。
【００５４】
このような構成は、空気清浄装置５０からの吹き出し流６１が、幅方向中央部で風速が大きく、端部で小さいような分速分布が存在する場合に、有効である。しかしながら、幅方向の風速の分布が略均一な吹き出し流６１を形成する空気清浄装置５０を用いた場合には、このような縦リブ２５Ａの構成は必要ない。
【００５５】
（実施形態３）
図１４及び図１５には、実施形態３に係る空気清浄システムの斜視図及び断面図を示す。図１４及び図１５に示すように、この空気清浄システムは、補助パーティション１００を具備するものである。すなわち、空気清浄装置５０の両側に実施形態３と同様な分煙用パーティション１０Ｃを配置し、その中央部に仕切パネル１１０を具備する補助パーティション１００を配置したものである。
【００５６】
補助パーティション１００は、空気清浄装置５０の上方に位置して縦パネル部２０Ｃに相対向するように配置される仕切パネル１１０と、その上方に位置して天井となる天パネル１２０とを具備し、これらは支持ポール１３０により支持されている。支持ポール１３０は、空気清浄装置５０の両側に立設されて仕切パネル１１０及び天パネル１２０を上方に支持するためのものであるが、空気清浄装置５０の天板５１上に仕切パネル１１０及び天パネル１２０を設けるようにしてもよい。
【００５７】
このような空気清浄システムの作用効果は基本的には実施形態１と同様であり、重複する説明は省略する。
【００５８】
但し、補助パーティション１００を有するので、以下のような作用効果を有する。
【００５９】
すなわち、空気清浄装置５０の両側に吹き出された吹き出し流６１は、分煙用パーティション１０Ｃにより上昇流６２となり、フラップ部３０Ｃで折り返されて折り返し流６３となるが、両側からの折り返し流６３は、仕切り板１１０に当たり、互いに干渉することなく、吸い込み口５３から吸い込まれる。すなわち、仕切り板１１０は、両側からの折り返し流６３同士の干渉を防止し、吸い込み口５３からの吸い込み効率を高めるものである。従って、仕切パネル１１０は、折り返し流６３が帰ってくる領域に設けるのが好ましい。
【００６０】
なお、本実施形態では、仕切パネル１１０の表面は、幅方向中央部が凹部となるように湾曲している。これは仕切パネル１１０に当たって跳ね返った折り返し流６３が外方向へ拡散せずに、中央部に集まるようにするためのものである。
【００６１】
また、天パネル１２０は、折り返し流６３の上方への拡散を防止するものである。従って、天パネル１２０の高さは特に限定されず、折り返し流６３の流れより上方に配置されればよい。
【００６２】
（実施形態４）
図１６には、実施形態４に係る空気清浄システムの断面図を示す。図１５に示すように、この空気清浄システムは、補助パーティション１００Ａを具備するものである。
【００６３】
補助パーティション１００Ａは、天パネル１２０Ａの形状が異なる以外は、実施形態３と同様である。
【００６４】
天パネル１２０Ａは、折り返し流６３の流れの上方に位置するが、流れに沿った一対の斜面１２１からなる。このような斜面１２１を有する天パネル１２０Ａによると、折り返し流６３が斜面１２１及び仕切パネル１１０に沿って流れて吸い込み口５３に吸い込まれるようになり、吸い込み効率を高めることができる。
【００６５】
（参考例５）
図１７には、参考例５に係る空気清浄システムの斜視図を示す。図１７に示すように、この空気清浄システムに用いている分煙用パーティション１０Ｆは、縦パネル部２０Ｆ及びフラップ部３０Ｆが幅方向に亘って円弧状に湾曲しているものである。このような分煙用パーティション１０Ｆを用いると、空気清浄装置５０の吹き出し口５４からの吹き出し流が、縦パネル部２０Ｆにより上昇流となり、フラップ部３０Ｆで折り返されて折り返し流となる際に、中央に集まり易く、空気清浄装置５０の吸い込み口に向かうようになるので、より吸い込み易くなる。また、この場合、吹き出し口５４からの縦パネル部２０Ｆまでの距離が中央部で大きいので、幅方向中央部の吹き出し流の風速が大きくても、縦パネル部２０Ｆに到達した時点での風速の分布が幅方向に均一化されるという利点がある。
【００６６】
（実施形態５）
図１８には、実施形態５に係る空気清浄システムの斜視図を示す。図１８に示すように、この空気清浄システムに用いている分煙用パーティション１０Ｇは、縦パネル部２０Ｇ及びフラップ部３０Ｇが幅方向に亘って多角形状に屈曲しているものである。このような分煙用パーティション１０Ｇを用いると、空気清浄装置５０の吹き出し口５４からの吹き出し流が、縦パネル部２０Ｇにより上昇流となり、フラップ部３０Ｇで折り返されて折り返し流となる際に、中央に集まり易く、空気清浄装置５０により吸い込み易くなる。また、この場合、吹き出し口５４からの縦パネル部２０Ｇまでの距離が中央部で大きいので、幅方向中央部の吹き出し流の風速が大きくても、縦パネル部２０Ｇに到達した時点での風速の分布が幅方向に均一化されるという利点がある。
【００６７】
（実施形態６）
図１９には、実施形態６に係る空気清浄システムの斜視図を示す。図１９に示すように、この空気清浄システムは、参考例３の分煙用パーティション１０Ｃを、空気清浄装置５０の三方にコの字状に配置したものである。この場合、空気清浄装置５０の吹き出し口５４は長辺側の両側のみであってもよいが、分煙用パーティション１０Ｃに対向する三方にあってもよく、三方の方が、空気清浄効率が向上する。
【００６８】
（実施形態７）
図２０には、実施形態７に係る空気清浄システムの斜視図を示す。図２０に示すように、この空気清浄システムは、分煙用パーティション１０Ｈを、空気清浄装置５０の三方にコの字状に配置したものであり、基本的な作用効果は実施形態６と同一である。
【００６９】
この実施形態で用いた分煙用パーティション１０Ｈは、幅方向に傾斜した縦リブ２５Ｂを具備する。このような傾斜した縦リブ２５Ｂを具備すると、空気清浄装置５０の吹き出し口５４からの吹き出し流が縦パネル部２０Ｈに当たって形成される上昇流が縦リブ２５Ｂの傾斜に沿って上昇するので、上昇するまでの時間を稼いで風速を低下させることができ、効率的な循環流を形成することができる。
【００７０】
（実施形態８）
図２１及び図２２には、実施形態８に係る空気清浄システムの斜視図及び平面図を示す。図２１及び図２２に示すように、この空気清浄システムに用いている分煙用パーティション１０Ｉは、略直角に開いたＶ字状に屈曲した縦パネル部２０Ｉ及びフラップ部３０Ｉを具備し、空気清浄装置５０Ａは、短辺側をＶ字の中心に対向させるように配置されている。
【００７１】
このような分煙用パーティション１０Ｉを用いると、吹き出し口５４からの縦パネル部２０Ｉまでの距離が中央部で大きいので、Ｖ字状屈曲部近傍に向かう吹き出し流の風速が大きくても、縦パネル部２０Ｉに到達した時点での風速の分布が幅方向に均一化されるという利点がある。また、この場合、空気清浄装置５０の吹き出し口５４からの吹き出し流が、縦パネル部２０Ｉにより上昇流となり、フラップ部３０Ｉで折り返されて折り返し流となる際に、中央に集まり易く、空気清浄装置５０により吸い込み易くなる。なお、折り返し流を中央に戻り易くするために、フラップ部３０Ｉのフラップリブ３５Ａは、幅方向両側において中央に向かって傾斜するように設けられている。
【００７２】
（その他）
以上、本発明の実施形態及び参考例を説明したが、本発明に用いる分煙用パーティションの形状、構造、及び大きさ、各分煙用パーティションの配置の仕方、また、分煙用パーティションと共に用いる空気清浄装置の構造、性能等は何ら制限されるものではない。
【００７３】
例えば、実施形態１〜８及び参考例１〜５の分煙用パーティション及びそれを用いた空気清浄システムでは、標準的には、３０００ｍｍ四方の空間を仕切り、高さを２０００ｍｍ〜３０００ｍｍ程度とした場合、その中の空気を外部へ拡散することなく循環させて、清浄化することができる。また、このような空気清浄システムで用いる空気清浄装置は、標準的には、１５ｍ３／ｍｉｍ程度の性能を有するものを使用することで、循環流が生成できる。
【００７４】
また、実施形態８の空気清浄システムでは、例えば、４０００ｍｍ四方という比較的大きな空間を仕切り、その中の空気を外部へ拡散することなく循環させて、清浄化することができる。この場合、空気清浄装置５０Ａを、３０ｍ３／ｍｉｍ程度の性能を有するものを使用することで、循環流が生成できる。
【００７５】
なお、上述した実施形態では、分煙用パーティションの平板部に空気清浄装置の長辺側を相対向させて配置したが、図２３に示すように、空気清浄装置５０Ａの短辺側を対向させて配置もよい。勿論、この場合、空気清浄装置５０Ａの短辺側に吹き出し口５４が開口している。
【００７６】
また、図２４又は図２５に示すように、例えば、二枚の分煙用パーティション１０Ｃの間に２台の空気清浄装置５０を並べて配置してもよく、配置の仕方は自由である。
【００７７】
さらに、空気清浄装置は、テーブル型に限定されず、図２６及び図２７に示すように、一般のパーティション２００を背にして配置される壁置きタイプの空気清浄装置５０Ｂでもよい。この場合には、空気清浄装置５０Ｂの前方に一定距離をあけて分煙用パーティション１０Ｃなどを配置すればよい。この場合、空気清浄装置５０Ｂの吹き出し口５４からの吹き出し流は分煙用パーティション１０Ｃの縦パネル部２０Ｃに当たってフラップ部３０Ｃで折り返され、吸い込み口５３へ戻る循環流が形成される。
【００７８】
（実施例１）
図２８には、実施例１に係る空気清浄システムの概略断面図を示す。この空気清浄システムは、空気清浄装置５０の両側に分煙用パーティション１０Ｃを配置した点は、上述した実施形態４の空気清浄システムと同様であり、本実施例は、これをさらに具体的にしたものである。
【００７９】
本実施例では、空気清浄装置５０の長辺側両側（吹き出し口５４の開口方向）に、空気清浄装置５０の中心から１５００ｍｍの距離をおいて分煙用パーティション１０Ｃが配置されている。分煙用パーティション１０Ｃの高さは２４００ｍｍであり、幅は３０００ｍｍである（床面投映で３０００ｍｍ四方の大きさ）。また、フラップ部３０Ｃの先端部３３の水平に対する角度θは４７度であり、縦パネル部２０Ｃに設けられた縦リブ２５は、高さは１００ｍｍで、基本的に４５０ｍｍ間隔で設けられている。一方、空気清浄装置５０は、高さ１０００で、風量１５ｍ３／ｍｉｍである。
【００８０】
このような空気清浄システムでは、空気清浄装置５０の吹き出し口５４からの吹き出し流６１は、縦パネル部２０Ｃの下部に当たって上昇流６２となり、さらに、フラップ部３０Ｃの内面に沿って流れて手前側下向きに折り返された折り返し流６３となり、吸い込み流６４となって空気清浄装置５０に戻る。すなわち、空気清浄装置５０の吹き出し口５４から吸い込み口５３に戻る循環流が形成され、分煙用パーティション１０Ｃで囲まれた３０００ｍｍ四方の雰囲気の空気が外部へ漏れにくくなり、空気清浄装置５０による清浄効率を著しく向上することができた。
【００８１】
ここで、空気清浄装置５０の近くで喫煙者７１が喫煙し、発煙ポイント７２が吸い込み口５３の近くにある場合は、空気清浄装置５０のみでも空気中の煙草の煙を除去することも可能であるが、喫煙者７１が空気清浄装置５０から離れて、発煙ポイント７２が空気清浄装置５０の図示しない吸い込み可能範囲から外れてしまった場合は、煙草の煙が拡散してしまうことになる。しかし、本発明に開示した分煙用パーティションを用いた空気清浄システムによる循環流の形成により、空気清浄システム内の空気が空気清浄装置５０により繰り返し清浄化されることになり、空気清浄システム外に漏れにくくなり、ほぼ１００％に近い捕集効率が実現できることになる。
【００８２】
なお、上述したようにフラップ部３０Ｃの先端部３３の水平に対する角度θを４７度から２７度へ変えたものも使用してみたところ、４７度の方がフラップ部３０Ｃからの折り返し流の流れの風速が大きく、２７度の方が小さいことがわかった。また、この場合には、２７度の方が空気清浄装置５０への戻り量が大きく、空気清浄装置との位置関係、空気清浄装置の性能等を考慮してフラップ部を設計するのが好ましいことがわかった。
【００８３】
（実施例２）
本実施例は、図２９に示すように椅子に座って使用する高さ７００ｍｍの空気清浄装置５０Ｃを用いた以外は実施例１と同様である。
【００８４】
この場合でも、空気清浄装置５０Ｃの吹き出し口５４からの吹き出し流６１は、縦パネル部２０Ｃの下部に当たって上昇流６２となり、さらに、フラップ部３０Ｃの内面に沿って流れて手前側下向きに折り返された折り返し流６３となり、吸い込み流６４となって空気清浄装置５０Ｃに戻る循環流が形成され、分煙用パーティション１０Ｃで囲まれた３０００ｍｍ四方の雰囲気の空気が外部へ漏れにくくなり、空気清浄装置５０Ｃによる清浄効率を著しく向上することができた。
【００８５】
（実施例３）
本実施例は、図３０に示すように、風量が３０ｍ３／ｍｉｍである高さ１０００ｍｍの空気清浄装置５０Ａを用い、幅４０００ｍｍ（床面投映で４０００ｍｍ四方の大きさ）の分煙用パーティション１０Ｃを空気清浄装置５０Ａの中心から２０００ｍｍの距離をおいて配置した以外は実施例１と同様である。なお、空気清浄装置５０Ａの吹き出し口５４は、短辺側両側にあり、これに対向して分煙用パーティション１０Ｃを配置した。
【００８６】
この場合でも、空気清浄装置５０Ａの吹き出し口５４からの吹き出し流６１は、縦パネル部２０Ｃの下部に当たって上昇流６２となり、さらに、フラップ部３０Ｃの内面に沿って流れて手前側下向きに折り返された折り返し流６３となり、吸い込み流６４となって空気清浄装置５０Ａに戻る循環流が形成され、分煙用パーティション１０Ｃで囲まれた４０００ｍｍ四方の雰囲気の空気が外部へ漏れにくくなり、空気清浄装置５０Ａによる清浄効率を著しく向上することができた。
【００８７】
なお、ここまでの説明において、分煙用パーティションの縦パネル部やフラップ部は、金属や樹脂などの板状体を用いた場合で説明したが、その形態に限定されないことは勿論のことであり、例えば、分煙パーティションの外形骨格をパイプで構成し、各外形骨格体であるパイプ間の縦パネル部やフラップ部に相当する部分を帆布やビニールなどのシート状体で構成させ、シート状体の端部を、紐などで外形骨格体に編み上げるように設けるなど、本発明の主旨から逸脱しない範囲で任意に変更することができる。
【００８８】
【発明の効果】
以上説明したように、本発明では、縦パネル部とフラップ部とを有する分煙用パーティションを用いることにより、空気清浄装置の吹き出し口から吹き出される吹き出し流を縦パネル部で上昇流とすると共にフラップ部で折り返し流として空気清浄装置の吸い込み流として戻す循環流を形成できるので、低コストで空気清浄装置の分煙効果を高めることができるという効果を奏する。
【図面の簡単な説明】
【図１】  本発明の参考例１に係る分煙用パーティションの斜視図である。
【図２】  本発明の参考例１に係る分煙用パーティションの他の例を示す斜視図である。
【図３】  本発明の参考例２に係る空気清浄システムの斜視図である。
【図４】  図３におけるＡ−Ａ断面図である。
【図５】  本発明に用いる空気清浄装置の概略断面図である。
【図６】  本発明の参考例２に係る空気清浄システムの他の例を示す断面図である。
【図７】  本発明の参考例３に係る分煙用パーティションの斜視図である。
【図８】  本発明の実施形態１に係る空気清浄システムの斜視図である。
【図９】  本発明の実施形態１に係る空気清浄システムの断面図である。
【図１０】  本発明の実施形態１に係る空気清浄システムの平面図である。
【図１１】  本発明の参考例４に係る分煙用パーティションの斜視図である。
【図１２】  本発明の参考例４に係る空気清浄システムの断面図である。
【図１３】  本発明の実施形態２に係る空気清浄システムの斜視図である。
【図１４】  本発明の実施形態３に係る空気清浄システムの斜視図である。
【図１５】  本発明の実施形態３に係る空気清浄システムの断面図である。
【図１６】  本発明の実施形態４に係る空気清浄システムの断面図である。
【図１７】  本発明の参考例５に係る空気清浄システムの斜視図である。
【図１８】  本発明の実施形態５に係る空気清浄システムの斜視図である。
【図１９】  本発明の実施形態６に係る空気清浄システムの斜視図である。
【図２０】  本発明の実施形態７に係る空気清浄システムの斜視図である。
【図２１】  本発明の実施形態８に係る空気清浄システムの斜視図である。
【図２２】  本発明の実施形態８に係る空気清浄システムの平面図である。
【図２３】  本発明のその他の実施形態に係る空気清浄システムの斜視図である。
【図２４】  本発明のその他の実施形態に係る空気清浄システムの斜視図である。
【図２５】  本発明のその他の実施形態に係る空気清浄システムの斜視図である。
【図２６】  本発明のその他の実施形態に係る空気清浄システムの斜視図である。
【図２７】  本発明のその他の実施形態に係る空気清浄システムの断面図である。
【図２８】  本発明の実施例１に係る空気清浄システムの断面図である。
【図２９】  本発明の実施例２に係る空気清浄システムの断面図である。
【図３０】  本発明の実施例３に係る空気清浄システムの断面図である。
【符号の説明】
１０，１０Ａ〜１０Ｉ  分煙用パーティション
２０，２０Ａ〜２０Ｉ  縦パネル部
２５  縦リブ
３０，３０Ａ〜３０Ｉ  フラップ部
３５  フラップリブ
５０，５０Ａ〜５０Ｃ  空気清浄装置
【図１】
0003714896.tif 000002
【図２】
0003714896.tif 000003
【図３】
0003714896.tif 000004
【図４】
0003714896.tif 000005
【図５】
0003714896.tif 000006
【図６】
0003714896.tif 000007
【図７】
0003714896.tif 000008
【図８】
0003714896.tif 000009
【図９】
0003714896.tif 000010
【図１０】
0003714896.tif 000011
【図１１】
0003714896.tif 000012
【図１２】
0003714896.tif 000013
【図１３】
0003714896.tif 000014
【図１４】
0003714896.tif 000015
【図１５】
0003714896.tif 000016
【図１６】
0003714896.tif 000017
【図１７】
0003714896.tif 000018
【図１８】
0003714896.tif 000019
【図１９】
0003714896.tif 000020
【図２０】
0003714896.tif 000021
【図２１】
0003714896.tif 000022
【図２２】
0003714896.tif 000023
【図２３】
0003714896.tif 000024
【図２４】
0003714896.tif 000025
【図２５】
0003714896.tif 000026
【図２６】
0003714896.tif 000027
【図２７】
0003714896.tif 000028
【図２８】
0003714896.tif 000029
【図２９】
0003714896.tif 000030
【図３０】
0003714896.tif 000031